(57)【要約】【課題】保安器サブモジュールの収容回線数増大にも拘わらず、同モジュールの幅寸法及び奥行き寸法をさほど増大させないようにした保安器モジュールを提供する。【解決手段】Ｕスリット端子３Ａ−１〜３Ａ−１６、３Ｂ−１〜３Ｂ−１６と、保安素子４Ａ−１〜４Ａ−１６、４Ｂ−１〜４Ｂ−１６と、試験弾器ユニット５と、交換機側コネクタ６−１、６−２とを搭載した平行な二枚のプリント配線板２Ａ、２Ｂを備え、前記Ｕスリット端子の列を前面側に設け、前記試験弾器ユニットを一方側面側に設けた保安器サブモジュールの前記二枚のプリント配線板の間に、モジュール他方側面側から各Ｕスリット端子へ通じるジャンパー線用通線溝７０Ａ−１〜７０Ａ−１６を有する通線ユニット７を挟装し、通線溝の略全部が前記試験弾器ユニットから逃げる方向へ屈曲しているようにする。【選択図】  図１
2005203956.tif 000002
【特許請求の範囲】
【請求項１】
入回線接続用端子として並列された複数のＵスリット端子と、各Ｕスリット端子に電気的に接続された保安素子と、各Ｕスリット端子に電気的に接続され、試験片の挿入により通信回線を切断して切り分け試験を行うため回線毎に設けられた弾器ばね対を有する試験弾器ユニットと、該試験弾器ユニットと電気的に接続された交換機側の出回線接続用端子としての交換機側コネクタとを搭載した平行な二枚のプリント配線板を備え、前記Ｕスリット端子の列を前面側に設け、前記試験弾器ユニットを一方側面側に設けてある保安器サブモジュールであって、前記二枚のプリント配線板の間に、各Ｕスリット端子と、保安器サブモジュールの他方側面側に設けた対応通線口とを連通し、ジャンパー線の整線を行う複数の通線溝を有する通線ユニットがサンドイッチ状に挟装されている保安器サブモジュールにおいて、
前記通線溝の略全部が前記試験弾器ユニットから逃げる方向へ屈曲していることを特徴とする保安器サブモジュール。
【請求項２】
前記通線溝が互いに略平行に配列され、前記試験弾器ユニットから逃げる方向へ略くの字状に屈曲していることを特徴とする請求項１に記載の保安器サブモジュール。
【発明の詳細な説明】
【技術分野】
【０００１】
本発明は、局内電話交換機やＰＢＸ（構内交換機）などの通信装置が設置される場所において、交換機側と加入者の通信回路とのインターフェイス部に施設される本配線盤（以下ＭＤＦ）に搭載される通信用保安器サブモジュールに関する。
【背景技術】
【０００２】
一般にこの種の保安器サブモジュールは、下記特許文献１に示されるように、Ａ線用及びＢ線用の二枚のプリント配線板と、これらプリント配線板の間に挟み込んで取り付けられているジャンパー線整線用通線ユニットを備えており、二枚のプリント配線板には、加入者側の入回線接続用端子として用いられる並列された、例えば１６回線用のＵスリット端子と、各Ｕスリット端子に対して一端が電気的に接続された半導体サージ防護素子などより成る保安素子と、各Ｕスリット端子に電気的に接続され、試験片の挿入により通信回線を切断して切り分け試験を行うための試験弾器ユニットと、この試験弾器ユニットと電気的に接続され、交換機側の出回線接続用端子として用いられる交換機側コネクタとが搭載されており、前記試験弾器ユニット及び交換機側コネクタは、同一側面側に配設され、通線ユニットは他側面側から正面側にあるＵスリット端子へジャンパー線を案内するように取り付けられている。例えば下記特許文献１参照。
【０００３】
図６は、かかる保安器サブモジュール１の回路図を示すもので、Ａ線用のプリント配線板に搭載された１６個のＵスリット端子３Ａ、保安素子４Ａおよび試験弾器ユニットの弾器ばね対５Ａをそれぞれ記号０Ａ〜１５Ａで示し、交換機側コネクタ６−１とコネクタ６−２に接続されるＡ線用の端子を、それぞれ記号０１Ｂ〜０８Ｂで示している。同様に、Ｂ線用のプリント配線板に搭載された１６個のＵスリット端子３Ｂ、保安素子４Ｂおよび試験弾器ユニットの弾器ばね対５Ｂをそれぞれ記号０Ｂ〜１５Ｂで示し、交換機側コネクタ６−１とコネクタ６−２に接続されるＢ線用の端子を、それぞれ記号０１Ａ〜０８Ａで示している。図中、０９Ｂ、０９Ａはアース端子であって、前記保安素子４Ａ、４Ｂと共に交換機側コネクタを接地している。
【０００４】
上記の保安器サブモジュールはＭＴＧ（Mounting）枠内に、例えば１２個または１６個段積みされ、９６回線または１２８回線の保安器モジュールを形成している。更に、このような保安器モジュールは電話局内の本配線盤（ＭＤＦ）に整列して搭載される。
【０００５】
近年ブロードバンドサービス提供のためのＡＤＳＬが普及している。このＡＤＳＬ装置は、既存アナログ電話サービスの局用デジタル交換機に使用されている保安器モジュールとは別に新たに設けた保安器モジュールを介して接続されるため、ＭＤＦの保安器モジュール搭載スペースが不足するという深刻な問題を抱えている。このＭＤＦスペース不足を解消するため既存保安器モジュールの収容回線規模を２倍にすることは極めて有効な手段である。２倍とするために、保安器サブモジュールに収容する各Ｕスリット端子をダブルスリットタイプのものから、シングルスリットタイプのものに変更することが提案されており、これによりＵスリット端子が配列された前面部での保安器サブモジュールの幅寸法は、さほど大きくならない。
【０００６】
しかしながら、試験弾器ユニットを設けてある範囲では、通線ユニットとの間の相互干渉を避けるために、試験弾器ユニットを側方へ張り出すか、或いはＵスリット端子から離れる方向、即ち後方へ位置をずらす必要がある。通線ユニットを側方へ張り出すことは必然的に保安器サブモジュールの幅寸法を増大することになり、Ｕスリット端子をシングルスリットタイプのものに変更したことによる効果が薄れる。また、試験弾器ユニットの位置を後方へずらす場合には、保安器サブモジュールの奥行き寸法が増大する。
【０００７】
一方において、ＭＤＦは従来からの一定寸法のものが使用されるため、保安器サブモジュール寸法の増大は、ＭＤＦに装架された保安器モジュールに対する作業スペースの狭小化に繋がり、作業性の悪化を招いたり、また作業者や高所作業用の移動梯子が保安器モジュールに当たったりするという問題点がある。
【０００８】
【特許文献１】実公平６−４４２７８号
【発明の開示】
【発明が解決しようとする課題】
【０００９】
本発明の目的は、保安器サブモジュールの収容回線数増大にも拘わらず、同モジュールの幅寸法及び奥行き寸法をさほど増大させないようにした保安器モジュールを提供することにある。
【課題を解決するための手段】
【００１０】
上記目的を達成する請求項１に記載の発明は、入回線接続用端子として並列された複数のＵスリット端子と、各Ｕスリット端子に電気的に接続された保安素子と、各Ｕスリット端子に電気的に接続され、試験片の挿入により通信回線を切断して切り分け試験を行うため回線毎に設けられた弾器ばね対を有する試験弾器ユニットと、該試験弾器ユニットと電気的に接続された交換機側の出回線接続用端子としての交換機側コネクタとを搭載した平行な二枚のプリント配線板を備え、前記Ｕスリット端子の列を前面側に設け、前記試験弾器ユニットを一方側面側に設けてある保安器サブモジュールであって、前記二枚のプリント配線板の間に、各Ｕスリット端子と、保安器サブモジュールの他方側面側に設けた対応通線口とを連通し、ジャンパー線の整線を行う複数の通線溝を有する通線ユニットがサンドイッチ状に挟装されている保安器サブモジュールにおいて、前記通線溝の略全部が前記試験弾器ユニットから逃げる方向へ屈曲していることを特徴とする。
【００１１】
請求項２に記載の発明は、請求項１の保安器サブモジュールにおいて、前記通線溝が互いに略平行に配列され、前記試験弾器ユニットから逃げる方向へ略くの字状に屈曲していることを特徴とする。
【発明の効果】
【００１２】
請求項１の発明によると、試験弾器ユニットを、通線ユニットに干渉することなく、保安器サブモジュールの幅方向において内方へ寄せて配置することができ、また奥行き方向においてもＵスリット端子列に近づけて配置することができるので、回線数増大に伴う保安器サブモジュール寸法の大幅な増大が回避され、延いてはＭＤＦに装架された保安器モジュールに対する必要な作業スペースが確保できる。
【００１３】
請求項２の発明によると、試験弾器ユニットを通線ユニットに対して極力近接させることができ、保安器サブモジュールの幅寸法の縮小化を可能にする。
【発明を実施するための最良の形態】
【００１４】
以下、本発明による保安器サブモジュールの一実施の形態について、図１乃至図５を参照して説明する。
【００１５】
図１（ａ）、（ｂ）、（ｃ）及び（ｄ）は、それぞれ保安器サブモジュールの構成を示す正面図、平面図、左側面図及び右側面図であり、図２は通線ユニットのユニットケースとユニットカバーの斜視図、図３は前記ユニットケースにユニットカバーを装着して構成した通線ユニットの斜視図、図４は図３の通線ユニットの一部を切り欠いて示す斜視図、図５（ａ）、（ｂ）、（ｃ）及び（ｄ）は、それぞれ保安器モジュールの構成を示す正面図、左側面図、右側面図及び平面図である。
【００１６】
本実施の形態の保安器サブモジュール１は、１６回線を収容するもので、Ａ線用およびＢ線用の二枚のプリント配線板２Ａおよび２Ｂを有し（図１（ｃ）参照）、これら二枚のプリント配線板２Ａ、２Ｂに、入回線接続用端子として並列された１６回線のＡ線用のＵスリット端子３Ａ−１〜３Ａ−１６およびＢ線用のＵスリット端子３Ｂ−１〜３Ｂ−１６と、各Ｕスリット端子に電気的に接続された保安素子４Ａ−１〜４Ａ−１６および４Ｂ−１〜４Ｂ−１６と、各Ｕスリット端子に電気的に接続されて試験片の挿入により通信回線を切断して切り分け試験を行うための試験弾器ユニット５と、試験弾器ユニット５と電気的に接続された交換機側の出回線接続用端子としての２個の８回線用の交換機側コネクタ６−１および６−２と、ジャンパー線の整線を行う通線ユニット７とを搭載している。
【００１７】
平行な二枚のプリント配線板２Ａ、２Ｂは試験弾器ユニット５側の側部において試験弾器ユニットフレーム９によって一体に保持され、Ｕスリット端子が配列されている正面側では、Ｕスリット端子を保持し、向かい合う二つのＵスリット端子間に角窓を備えたＵスリットハウジング１０によって一体に保持されている。二枚のプリント配線板２Ａ、２Ｂは符号８にて示す箇所でも金具とねじによって互いに結合されており、かくして、１６回線収容の保安器サブモジュール１が形成される。
【００１８】
前記Ｕスリット端子３Ａ−１〜３Ａ−１６及び３Ｂ−１〜３Ｂ−１６は、幅および高さを小型化したシングルスリットのＵスリット端子であって、狭ピッチで該プリント配線板２Ａ、２Ｂに鉛フリー半田により接続固定されている。
【００１９】
前記保安素子４Ａ−１〜４Ａ−１６および４Ｂ−１〜４Ｂ−１６は、例えばＰＮＰＮ型の半導体サージ防護素子であって、前記Ｕスリット端子の狭実装ピッチ以内の大きさに小型化されており、前記Ｕスリット端子に隣接したプリント配線板２Ａ、２Ｂ上の箇所に一列に鉛フリー半田により接続固定されている。また、これら保安素子は、図１（ｃ）に示すように、平行に保持されたプリント配線板２Ａ、２Ｂのそれぞれ外表面側に搭載されている。保安素子４Ａ−１〜４Ａ−１６はそれらの各一端を、図６に示す結合態様で、プリント配線板２Ａに印刷された配線パターンを介して対応するＵスリット端子３Ａ−１〜３Ａ−１６にそれぞれ接続されており、同様に保安素子４Ｂ−１〜４Ｂ−１６はプリント配線板２Ｂに印刷された配線パターンを介して対応するＵスリット端子３Ｂ−１〜３Ｂ−１６に接続されている。保安素子４Ａ−１〜４Ａ−１６および４Ｂ−１〜４Ｂ−１６の他端は、図６に示す結合態様で、アース配線パターンに接続されている。
【００２０】
前記試験弾器ユニット５は、Ｕスリット端子３Ａ−１〜３Ａ−１６に対応する１６個の弾器ばね対と、Ｕスリット端子３Ｂ−１〜３Ｂ−１６に対応する１６個の弾器ばね対とを有している。各弾器ばね対は２枚の弾器ばねからなり、各プリント配線板の外側表面及び内側表面を跨いで合掌して設けられ、常時は合掌状態で電気的に接触し、試験片の挿入により離間するようにプリント配線板に保持されている。合掌部は、各弾器ばね対毎に角窓を有する試験弾器ユニットフレーム９によって全体的にカバーされている。前記試験弾器ユニット５及び試験弾器ユニットフレーム９は、試験片の差込みを容易にするため、Ｕスリット端子の配列方向に対して直角方向に伸びる保安器サブモジュールの縦軸に対して８度前後傾斜して取り付けられていることが好ましい。
【００２１】
前記弾器ばねのうち、プリント配線板２Ａの外側表面に設けられた１６個の弾器ばねが、交換機側コネクタ６−１と６−２のＡ線用の端子に接続され、これら１６個の弾器ばねと対を成してプリント配線板２Ａの内側表面に設けられた１６個の弾器ばねが、プリント配線板２Ａに搭載された１６個のＡ線用のＵスリット端子３Ａ−１〜３Ａ−１６に接続されている。同様に、プリント配線板２Ｂの外側表面に設けられた１６個の弾器ばねが、交換機側コネクタ６−１と６−２のＢ線用の端子に接続され、これら１６個の弾器ばねと対を成してプリント配線板２Ｂの内側表面に設けられた１６個の弾器ばねが、プリント配線板２Ｂに搭載された１６個のＢ線用のＵスリット端子３Ｂ−１〜３Ｂ−１６に接続されている。これらの接続は図６の回路図に示された結合態様で行なわれている。
【００２２】
前記コネクタ６−１、６−２は、それらの一部が二枚のプリント配線板２Ａ、２Ｂの間に挟まれており、それらの端子がプリント配線板に対し鉛フリー半田付けされ、通信装置側への出力端子として作用するものである。図には二つのコネクタが示されているが、１６回線の端子と１回線分のアース端子を有する単独コネクタであってもよい。
【００２３】
前記通線ユニット７は、図２〜図４に示すように、通線ユニットケース７Ａと通線ユニットカバー７Ｂとを有しており、通線ユニットケース７Ａには、複数の仕切り７Ａ−１〜７Ａ−１７により、１６回線のＡ、Ｂ線用のジャンパー線を図１（ｂ）に示す保安器サブモジュール１の左側面側から正面側のＵスリット端子３Ａ−１〜３Ａ−１６、３Ｂ−１〜３Ｂ−１６へ案内する相互に略平行な複数の通線溝７０Ａ−１〜７０Ａ−１６が形成されている。
【００２４】
前記通線ユニット７は、図１（ｃ）に示すように、二枚のプリント配線板２Ａ、２Ｂ間にサンドイッチ状に挟んで取り付けられており、このように取り付けられた状態において、前記通線溝７０Ａ−１〜７０Ａ−１６は、ジャンパー線差込み口７０−Ｃ側からＵスリット端子側端部７０−Ｄへ一直線状に伸びているのではなく、図示のように、特に図１（ｂ）に示すように、試験弾器ユニット５から逃げる方向へ屈曲している。
【００２５】
このように通線溝を屈曲させることにより、通線ユニット７と試験弾器ユニット５とを互いに干渉しないように配置しようとする場合に、試験弾器ユニット５がＵスリット端子列に近づくように、更に試験弾器ユニット５配置部における保安器サブモジュール１の幅寸法がＵスリットハウジング１０設置箇所における保安器サブモジュール１の幅寸法に近くなるようにすることが可能であり、その結果、Ｕスリット端子数の増加に伴って保安器サブモジュール１の奥行き寸法及び幅寸法が大幅に増大することを回避することができる。屈曲箇所を、図１（ｂ）に示すように、試験弾器ユニット５のＵスリット端子列側内方角部に対向する範囲にすることにより、保安器サブモジュールの寸法縮小効果を最大限にすることができる。
【００２６】
屈曲は、図示のように、くの字状であることが好ましいが、他の屈曲形状であってもよい。また、必ずしも全部の通線溝がくの字状である必要はなく、試験弾器ユニット５から遠方側にある比較的長さの短い通線溝、例えば７０Ａ−１〜７０Ａ−３、は直線状であってもよい。
【００２７】
通線溝７０Ａ−１〜７０Ａ−１６のＵスリット端子側の出口端は、通線溝に挿通されたジャンパー線が対応するＵスリット端子に向けて確実に案内されるように、Ｕスリット端子伸長方向に整合する方向へ屈曲している。
【００２８】
上記の複数の通線溝を有する通線ユニットケース７Ａに、同ユニットケースの輪郭形状に合うように形成した通線ユニットカバー７Ｂが図３のように装着され、このようにして形成された通線ユニット７は、上記のように二枚のプリント配線板２Ａ、２Ｂ間にサンドイッチ状に挟んで取り付けられる。
【００２９】
上記のように構成した保安器サブモジュール１は図５に示すように段積みされ、保安器モジュール１１が構成される。図は１２個の保安器サブモジュール１を段積みして構成された保安器モジュールを示しており、図５（ａ）、（ｂ）、（ｃ）及び（ｄ）は、それぞれ保安器モジュールの正面図、左側面図、右側面図及び平面図である。
【００３０】
図５において、１２はマウンティングで、このマウンティングの枠内に保安器サブモジュール１が段積みされ、マウンティング１２にねじ止めした後、フロントプレート１３を取り付けることによって段積みされた保安器サブモジュール１はマウンティング１２に固定される。１６回線収容の保安器サブモジュール１を１２個段積みすることにより１９２回線の保安器モジュールが構成され、１６回線収容の保安器サブモジュール１を１６個段積みすることにより２５６回線の保安器モジュールが構成される。図中１４はジャンパー整線板である。
【００３１】
上記のように構成された保安器モジュール１１は、Ｕスリットハウジング１０側を前面にして本配線盤（ＭＤＦ）に装架され、その際、前面から見て保安器モジュール１１の左右側方には作業スペースが設けられる。即ち、保安器モジュール１１の前面から見て、横方向に隣り合う保安器モジュール同士の間と横方向末端に位置する保安器モジュールの外側方に作業スペースが設けられる。図５（ａ）は保安器モジュール１１を前面から見た図であるが、この図において、Ｌで示す側に左側の作業スペースが設けられ、Ｒで示す側に右側の作業スペースが設けられる。
【００３２】
ジャンパー線とＵスリット端子との結合を行う場合、作業者は左側の作業スペースを利用し、目的のＵスリット端子（例えば３Ａ−１６及び３Ｂ−１６）に対応する通線溝７０Ａ−１６のジャンパー線差込み口側７０Ｃから、例えば一回線用の二本のＡ、Ｂジャンパー線を差込み、該通線溝を通して延伸させ、Ｕスリットハウジング１０の対応する角窓１０−１６から先端部を突出させ、Ａ線の先端をＵスリット端子３Ａ−１６に、Ｂ線の先端をＵスリット端子３Ｂ−１６の各スリットに工具で差込む。これにより一つの回線が形成される。
【００３３】
切り分け試験を行う場合には、作業者は保安器モジュール１１の右側の作業スペースを利用し、試験弾器ユニット５の目的の弾器ばね対に対応する角穴から試験片を挿入し、通信回線を切断して回線状態を確認する。
【００３４】
なお、本発明は上記実施の形態に限定されるものではなく、発明の趣旨を逸脱しない範囲で種々変更可能である。例えば、隣り合う二回線以上のＵスリット端子に対して一つの通線溝を使用するようにし、通線溝数を減少させるようにしてもよい。
【図面の簡単な説明】
【００３５】
【図１】本発明の保安器サブモジュールであって、（ａ）は正面図、（ｂ）は平面図、（ｃ）は左側面図、（ｄ）は右側面図である。
【図２】本発明の通線ユニットの構成要素である通線ユニットケースと通線ユニットカバーを示す斜視図である。
【図３】組み立てた状態の通線ユニットを示す斜視図である。
【図４】組み立てた状態の通線ユニットを一部破断して示す斜視図である。
【図５】本発明の保安器サブモジュールを段積みして構成した保安器モジュールであって、（ａ）は正面図、（ｂ）は左側面図、（ｃ）は右側面図、（ｄ）は平面図である。
【図６】図１に示す保安器サブモジュールの回路図である。
【符号の説明】
【００３６】
１  保安器サブモジュール
２Ａ、２Ｂ  プリント配線板
３Ａ−１〜３Ａ−１６、３Ｂ−１〜３Ｂ−１６  Ｕスリット端子
４Ａ−１〜４Ａ−１６、４Ｂ−１〜４Ｂ−１６  保安素子
５  試験弾器ユニット
５Ａ、５Ｂ  ばね対
６−１、６−２  交換機側コネクタ
７  通線ユニット
７Ａ  通線ユニットケース
７Ｂ  通線ユニットカバー
７Ａ−１〜７Ａ−１７  仕切り
７０Ａ−１〜７０Ａ−１６  通線溝
７０Ｃ  ジャンパー線差込み口側
７０Ｄ  Ｕスリット端子側端部
９  試験弾器ユニットフレーム
１０  Ｕスリットハウジング
１０−１〜１０−１６  角窓
１１  保安器モジュール
１２  マウンティング
１３  フロントプレート
１４  ジャンパー整線板
【図１】
2005203956.tif 000003
【図２】
2005203956.tif 000004
【図３】
2005203956.tif 000005
【図４】
2005203956.tif 000006
【図５】
2005203956.tif 000007
【図６】
2005203956.tif 000008